(57)【要約】【課題】安価かつ簡便な方法で太陽電池モジュールの出力電流、出力電圧を変更できる太陽電池モジュールを提供する。【解決手段】複数個の太陽電池素子を電気的に接続してなる、太陽電池素子群を複数個備え、前記各太陽電池素子群の出力配線の各端部を配設した端子箱を具備した太陽電池モジュールであって、前記端子箱の筐体には１つ以上の開口部を設け、この開口部に電気接続治具を嵌装することによって、前記出力配線の各端部を直列または並列に電気的接続してなる。【選択図】図１
2005050867.tif 000002
【特許請求の範囲】
【請求項１】
複数個の太陽電池素子を電気的に接続してなる太陽電池素子群を複数個備え、これらの太陽電池素子群の出力配線の各端部を配設した端子箱を具備した太陽電池モジュールであって、前記端子箱の筐体に一つ以上の開口部を設け、この開口部に電気接続治具を嵌装することによって、前記出力配線の各端部を直列または並列に電気的接続してなる太陽電池モジュール。
【請求項２】
前記電気接続治具は、少なくとも一部が導電体で構成されるとともに、この導電体によって、前記出力配線の各端部を直列または並列に電気的接続してなる請求項１記載の太陽電池モジュール。
【請求項３】
前記開口部は、前記端子箱の筐体に２つ以上設けられてなり、前記電気接続治具を嵌装することによって、前記出力配線の各端部を直列に接続するための直列接続用開口部と、並列に接続するための並列接続用開口部とを具備してなる請求項１または２に記載の太陽電池モジュール。
【請求項４】
前記端子箱は略直方体形状を有するとともに、前記直列接続用開口部が存在する端子箱の面と、前記並列接続用開口部が存在する端子箱の面とが、略直交してなる請求項３記載の太陽電池モジュール。
【請求項５】
前記電気接続治具は、絶縁体からなる基体と、この基体上に所定パターンで被着させた導電膜とを含んでなる請求項１から４のいずれかに記載の太陽電池モジュール。
【請求項６】
前記電気接続治具を、前記出力配線の各端部に対して付勢するための付勢手段を設けてなる請求項１から５のいずれかに記載の太陽電池モジュール。
【発明の詳細な説明】
【０００１】
【発明の属する技術分野】
本発明は太陽電池モジュールに関し、特にその出力電圧、出力電流を変更できるようにした太陽電池モジュールに関する。
【０００２】
【従来の技術】
一般的に、太陽電池素子は、単結晶シリコン基板や多結晶シリコン基板を用いて作製されることが多い。また、野外に太陽電池を設置して用いることも多いため、物理的衝撃や風雨などから太陽電池素子を保護する必要がある。さらに、１個の太陽電池素子では、発生する電気出力が小さいため、複数の太陽電池素子を直並列に接続して、実用的な電気出力が取り出せるようにする必要がある。
【０００３】
これらの問題を解決するため、通常、インナーリード線としての接続タブを用いて複数の太陽電池素子を接続したものを、透光性部材と背面部材の間に配設し、エチレンビニルアセテート共重合体（ＥＶＡ）などを主成分とする充填材で封入することによって、耐候性や耐衝撃性を高め、屋外で実用的な電気出力を取り出すことができる太陽電池モジュールを作製することが行われている。
【０００４】
しかしながら、従来の太陽電池モジュールでは、上述のように太陽電池素子を直並列に接続して充填材で封入した後は、その接続状態を変更することは不可能であった。このため、太陽電池モジュールに接続される電気器具や蓄電池などの負荷に合致した出力電圧の太陽電池モジュールを用意する必要があった。
【０００５】
この問題に対して、特許文献１には、複数の太陽電池素子を直列に接続したブロックを複数個配列し、各ブロックの接続を切替スイッチにより変更できるようにして、多段階の電圧、電流を得ることができる技術が開示されている。
【０００６】
また、特許文献２には、複数の太陽電池素子からなる複数の太陽電池群からの個別出力を端子箱に導入し、端子箱内において電気接続体によって、この個別出力を直列または並列に電気的接続することにより、所望の出力を得ることができる技術が開示されている。
【０００７】
【特許文献１】
特開平２−３０８５７４号公報
【０００８】
【特許文献２】
特開２００１−３０８３６１号公報
【０００９】
【発明が解決しようとする課題】
特許文献１に記載された技術は、切替スイッチにより太陽電池ブロック間の接続を変更できるようにして、多段階の電圧、電流を得ることができるようにする方法であるが、通常、太陽電池モジュールは１０年から２０年間にわたって野外で使用するものであるため、地震やその他不測の事情によって、切替スイッチの設定が変更されないように、切替スイッチを端子箱内などに入れて保護する必要がある。このため端子箱が大型化したり、別途専用のボックスを設けたりする必要が生じ、手間がかかり、コストも上昇するという問題があった。
【００１０】
また、太陽電池モジュールを設置したときに、設置に用いた他の部材が干渉するため、端子箱を開けることが難しいことがあるが、このような場合、太陽電池モジュールの出力を変更するためには、太陽電池モジュールを取り外してから切替スイッチを入れている端子箱などを開け、切替スイッチを所定の位置に切り替えた後に、端子箱を閉じ、再度太陽電池モジュールを取り付けるという極めて煩雑な作業が必要であった。
【００１１】
また、特許文献２に記載された技術は、複数の太陽電池素子からなる複数の太陽電池群からの個別出力を端子箱に導入し、端子箱内において電気接続体によって、この個別出力を直列または並列に電気的接続することにより、所望の出力を得るものであるが、配線を変更する際には、電気接続体、例えばプリント配線基板のパターンなどを変更する必要があり、非常に手間がかかり、高コスト化を招くという問題があった。
【００１２】
本発明は上述の問題点に鑑みてなされたものであり、極めて簡単容易かつ低コストな方法によって、太陽電池モジュールの出力電圧、出力電流を切替可能とした太陽電池モジュールを提供することを目的とする。
【００１３】
【課題を解決するための手段】
上述に鑑みて、本発明の太陽電池モジュールは、複数個の太陽電池素子を電気的に接続してなる、太陽電池素子群を複数個備え、これらの太陽電池素子群の出力配線の各端部を配設した端子箱を具備した太陽電池モジュールであって、この端子箱の筐体に一つ以上の開口部を設け、この開口部に電気接続治具を嵌装することによって、出力配線の各端部を直列または並列に電気的接続する構成とした。
【００１４】
これにより、外部から電気接続治具を嵌装するという極めて簡単な方法で太陽電池素子の出力配線を直列または並列に電気的接続して、太陽電池モジュールの出力をＯＮ、ＯＦＦすることが可能となる。また、外部からの衝撃によって設定が変更されることもなく、信頼性の高い接続となる。
【００１５】
また、電気接続治具は、少なくとも一部が導電体で構成されるとともに、この導電体によって、太陽電池素子群からの出力配線を直列または並列に電気的接続するようにしたことから、嵌装した電気接続治具自身を用いて、電気的接続することができるので、極めて簡単かつ低コストな構成で、確実な出力のＯＮ、ＯＦＦの制御が可能になる。
【００１６】
さらに、上記の開口部は、端子箱の筐体に２つ以上設けられてなり、電気接続治具を嵌装することによって、出力配線の各端部を直列に接続するための直列用開口部と、並列に接続するための並列用開口部とを含むように構成したので、太陽電池素子群の直並列の接続変更に際して、その都度端子箱の蓋を開けたり、太陽電池モジュールを設置用の架台などから取り外したりする必要がなく、極めて簡便な手順で直並列を変更し、太陽電池モジュールの出力電流や出力電圧を変更することが可能となる。そして、直並列の変更が可能な太陽電池モジュールでも端子箱が大型化することがない。
【００１７】
そして、端子箱は略直方体形状を有するとともに、直列用開口部が存在する端子箱の面と、並列用開口部が存在する端子箱の面とが、略直交するようにしたことから、端子箱の内部の出力配線の配置を簡単に構成できるとともに、直並列の接続切替に際して誤った開口部から電気接続治具を嵌装することがなくなる。
【００１８】
また、電気接続治具は、絶縁体からなる基体と、この基体上に所定パターンで被着させた導電膜と、を含むことから、導電体部と絶縁体部の入り組んだ電気接続治具も簡単かつ低コストで作製することができる。
【００１９】
さらに、端子箱の内部の出力配線の各端部に対して、電気接続治具を付勢するための付勢手段を設けたことにより、電気接続治具の嵌装がより確実となり、出力配線を高い信頼性で直並列に接続することが可能となる。
【００２０】
なお本発明において、出力配線の各端部とは、直接太陽電池素子群から引き出された出力配線そのものを指すほか、端子箱の内部でこれらの出力配線が電気的に接続された導電性の部品、例えば、ターミナルや端子なども含むものとする。
【００２１】
【発明の実施の形態】
本発明にかかる実施の形態について、図を用いて説明する。図１は本発明にかかる太陽電池モジュールを説明する図であり、図１（ａ）は、太陽電池モジュールの構造図、図１（ｂ）は、端子箱近傍部位の斜視図、図１（ｃ）は、電気接続治具の斜視図である。
【００２２】
本発明の太陽電池モジュール１０の構造は、図１（ａ）に示すように、透光性部材１、受光面側充填材２、太陽電池素子３、裏面側充填材４、背面部材５が順次積層されて構成されている。そして太陽電池素子３は接続タブ６により、相互に電気的に接続されている。
【００２３】
このような複数の太陽電池素子３が接続タブ６によって電気的に接続された太陽電池素子群は、通常、太陽電池モジュール１０の中に複数設けられ、これらの出力は、背面部材５を経て出力配線７によって、太陽電池モジュール１０の非受光面側に設けられた端子箱８の内部へ導入される。そして、この端子箱８の内部において、後述する本発明にかかる構造により、それぞれの太陽電池素子群からの出力配線が相互に直列あるいは並列に接続され、必要な出力がケーブル１１を経て外部回路（不図示）に供給される。
【００２４】
次に、図１（ｂ）と図１（ｃ）を用いて、本発明の構造にかかる端子箱８および電気接続治具９について説明する。
【００２５】
図１（ｂ）に示すように、太陽電池モジュール１０の非受光面側の背面部材５に端子箱８が設けられている。そして、本発明の構造においては、この端子箱８の筐体に並列接続用開口部８ａ、直列接続用開口部８ｂが設けられ、これらの開口部に対して、電気接続治具９が嵌入できる構成としたことを特徴とする。この電気接続治具９は、例えば、図１（ｃ）に示すように、絶縁体部９ａと導電体部９ｂとから構成されており、これを図１（ｂ）の開口部８ａ、８ｂに嵌装することによって、太陽電池素子群からの出力配線７の各端部を端子箱８の内部において、直列または並列に電気的接続することができる。
【００２６】
図２は、本発明にかかる太陽電池モジュールの一例として、二つの太陽電池素子群同士の配線を示す図である。図２（ａ）は、本発明の構造により太陽電池素子群同士を直列に接続した場合の図であり、図２（ｂ）は、本発明の構造により太陽電池素子群同士を並列に接続した場合の図である。
【００２７】
複数の太陽電池素子３が電気的に接続（この場合は直列接続）され、太陽電池素子群Ａならびに太陽電池素子群Ｂを構成している。太陽電池素子群Ａからはマイナス側出力配線１７ａ、プラス側出力配線１７ｂが引き出され、太陽電池素子群Ｂからも同様に、マイナス側出力配線１７ｃ、プラス側出力配線１７ｄが引き出されている。
【００２８】
また、太陽電池モジュールには、プラス側出力端子１４、マイナス側出力端子１５が設けられ、上記の出力配線１７同士が後述する本発明の構造を用いて、所定の太陽電池の出力が得られるように接続され、これらの出力端子に導出される。
【００２９】
太陽電池素子群ＡおよびＢは、太陽電池素子３が直列接続されている枚数の半分のところから中間出力配線１６が引き出され、太陽電池素子群の両端の出力配線１７ａ、１７ｂ、１７ｃ、１７ｄとの間にバイパスダイオード１２ａ、１２ｂ、１２ｃ、１２ｄとが設けられている。これらのバイパスダイオード１２ａ、１２ｂ、１２ｃ、１２ｄは、通常、太陽電池モジュール裏面にある端子箱８内にあり、プラス側出力端子１４と中間出力配線１６との間と、中間出力配線１６とマイナス側出力端子１５との間とに、それぞれ逆方向接続するように設けられる。
【００３０】
プラス側出力端子１４とマイナス側出力端子１５は太陽電池モジュールと外部回路を接続するために、太陽電池素子のプラス側、マイナス側にそれぞれ接続するように設けられる。
【００３１】
図２（ａ）は、複数の太陽電池素子３が相互に直列接続された太陽電池素子群Ａと同じく相互に直列接続された太陽電池素子群Ｂとが、本発明の構造にかかる電気接続治具９の導電体部１３により直列に接続された状態を示す。
【００３２】
すなわち太陽電池素子群Ａからのマイナス側出力配線１７ａと太陽電池素子群Ｂのプラス側出力配線１７ｄとが、本発明の構造にかかる電気接続治具９の導電体部１３によって相互に接続されているので、太陽電池素子群Ａと太陽電池素子群Ｂとが互いに直列接続されることになる。したがって、太陽電池素子群Ａのプラス側出力配線１７ｂに接続された出力端子１４が太陽電池モジュールのプラス側出力端子となり、太陽電池素子群Ｂのマイナス側出力配線１７ｃに接続された出力端子１５が太陽電池モジュールのマイナス側出力端子となる。
【００３３】
図２（ｂ）は、複数の太陽電池素子３が相互に直列接続された太陽電池素子群Ａと同じく相互に直列接続された太陽電池素子群Ｂとが、本発明の構造にかかる電気接続治具の導電体部２０および２１により並列に接続された状態を示す。
【００３４】
すなわち太陽電池素子群Ａのマイナス側出力配線１７ａと太陽電池素子群Ｂのマイナス側出力配線１７ｃとが、本発明の構造にかかる電気接続治具の導電体部２０によって相互に接続され、同時に、太陽電池素子群Ａのプラス側出力配線１７ｂと太陽電池素子群Ｂのプラス側出力配線１７ｄとが、本発明の構造にかかる電気接続治具の導電体部２１によって相互に接続されているので、太陽電池素子群Ａと太陽電池素子群Ｂとが互いに並列接続されることになる。したがって、太陽電池素子群Ａのプラス側出力配線１７ｂに接続された出力端子１４が太陽電池モジュールのプラス側出力端子となり、太陽電池素子群Ｂのマイナス側出力配線１７ｃに接続された出力端子１５が太陽電池モジュールのマイナス側出力端子となる。
【００３５】
なお、太陽電池素子３を発熱による破壊を防ぐため、上述のバイパスダイオード１２ａ、１２ｂ、１２ｃ、１２ｄを設けておくことが望ましい。この効果は以下の通りである。まず、太陽電池モジュールにおいて、複数の太陽電池素子３のすべてに光が当たっている場合を考えると、逆方向に接続されているバイパスダイオード１２ａ、１２ｂ、１２ｃ、１２ｄには、そのダイオード特性から電流は流れない。しかし複数の太陽電池素子３の中にある１つの太陽電池素子が何かの影になったりして発電が不十分になった場合、太陽電池素子は抵抗となる。この時太陽電池素子の両電極にはその抵抗値と流れる電流の積の電位差が発生する。するとバイパスダイオードの両端の電圧が正常な時に比べ逆転し、バイパスダイオード１２ａ、１２ｂ、１２ｃ、１２ｄに電流が流れるようになり、影になった太陽電池素子に流れる電流が減少し太陽電池素子の発熱が抑えられる。
【００３６】
次に図３および図４に、図２に示した本発明にかかる二つの太陽電池素子群同士の配線を行った端子箱の内部構成の一例を示す。
【００３７】
まず、図２（ａ）を具体化した図３について説明する。太陽電池素子群Ａからの出力配線１７ａ、１７ｂ、太陽電池素子群Ｂからの出力配線１７ｃ、１７ｄ、中間出力配線１６が端子箱８の内部に導入されて、ターミナル１９に接続されている。そして、それぞれの出力配線間にバイパスダイオード１２が接続されている。ターミナル１９上には電気接続治具用の嵌込部２２が設けられている。
【００３８】
ここで電気接続治具としては、図１（ｃ）に示した電気接続治具９を用い、その導電体部９ｂを図２（ａ）に示した導電体部１３として用いる。
【００３９】
この電気接続治具９を端子箱８の筐体に設けられた直列接続用開口部８ｂから嵌入し、絶縁体部９ａがこの直列接続用開口部８ｂを塞ぐように嵌装する。このとき、太陽電池素子群Ｂのプラス側出力配線１７ｄが接続されたターミナル上に設けられた嵌込部２２ｄと、太陽電池素子群Ａのマイナス側出力配線１７ａが接続されたターミナル上に設けられた嵌込部２２ａとに、電気接続治具９の導電体部９ｂが嵌め込まれ、図２（ａ）に示した導電体部１３として作用し、太陽電池素子群Ａと太陽電池素子群Ｂとを相互に直列に接続することができる。
【００４０】
図２（ｂ）を具体化した図４についても、図３とほぼ同様であるが、電気接続治具として、図１（ｃ）に示した電気接続治具９を２本用い、その導電体部９ｂを図２（ｂ）に示した導電体部２０、２１として用いる。
【００４１】
この２本の電気接続治具９を端子箱８の外表面の２箇所に設けられた並列接続用開口部８ａからそれぞれ嵌入し、絶縁体部９ａがこの並列接続用開口部８ａをそれぞれ塞ぐように嵌装する。このとき、図４において左側から嵌装された電気接続治具９は、太陽電池素子群Ａのマイナス側出力配線１７ａが接続されたターミナル上に設けられた嵌込部２２ａと、太陽電池素子群Ｂのマイナス側出力配線１７ｃが接続されたターミナル上に設けられた嵌込部２２ｃとに、導電体部９ｂが嵌め込まれ、図２（ｂ）に示した導電体部２０として作用する。同様に、図４において右側から嵌装された電気接続治具９は、太陽電池素子群Ａのプラス側出力配線１７ｂが接続されたターミナル上に設けられた嵌込部２２ｂと、太陽電池素子群Ｂのプラス側出力配線１７ｄが接続されたターミナル上に設けられた嵌込部２２ｄとに、導電体部９ｂが嵌め込まれ、図２（ｂ）に示した導電体部２１として作用する。このようにして、太陽電池素子群Ａと太陽電池素子群Ｂとを相互に並列に接続することができる。
【００４２】
なお、図３、図４のようにして接続された太陽電池素子群からの出力は、太陽電池素子群Ａのプラス側出力配線１７ｂが接続されたターミナル１９についてはプラス側出力端子１４を、太陽電池素子群Ｂのマイナス側出力配線１７ｃが接続されたターミナル１９についてはマイナス側出力端子１５を経て、それぞれケーブル１１に圧着ネジなどで接続され、外部回路へと接続される。
【００４３】
ターミナル１９は厚さ０．６〜１．０ｍｍ程度の銅板で作製され、端子箱８内の所定位置に嵌めこまれる。また各々のターミナル１９に太陽電池素子からの出力配線１７ａ、１７ｂ、１７ｃ、１７ｄおよび中間出力配線１６がそれぞれハンダ付けされ、さらにプラス側出力端子１４、マイナス側出力端子１５に接続したターミナル１９には外部回路接続用のケーブル１１の導線部をネジ圧着するための接続用圧着ネジ部が設けられる。
【００４４】
また、上述のように、ターミナル１９の所定位置には電気接続治具９が嵌装された時に、この導電体部９ｂを固定するための嵌込部２２が設けられるが、これはプレスによる打ち抜き加工などで製作され、嵌入された電気接続治具９の導電体部９ｂを自然に動かぬよう固定し、さらに、ターミナル１９との電気的接続を確実にすることができる。
【００４５】
また、ここで用いられる電気接続治具９は、図１（ｃ）に示すように絶縁体部９ａと導電体部９ｂとからなっている。
【００４６】
導電体部９ｂは、電気接続治具９を端子箱８の筐体に設けられた所定の開口部に嵌入して、端子箱８内部の出力配線同士を電気的に接続するものであり、銅やステンレスなどの良導体の金属で棒状に作製され、その先端形状は端子箱８内でターミナル１９に設けられた嵌込部２２にスムースに入るように丸形や三角とすることが望ましい。厚みは３〜８ｍｍ程度で、その幅と長さは端子箱８の大きさと嵌込部２２間の寸法に合わせて造られる。
【００４７】
絶縁体部９ａは、ポリプロピレンなどの樹脂や木材、絶縁性セラミックスなどの絶縁体で作製され、その形状は端子箱８に設けられる電気接続治具９の開口部の形状に合わせて、例えば直方体形状に造られ、その一面のほぼ中央に導電体部９ｂが埋め込まれる。絶縁体部９ａの縦横の大きさは、端子箱８に設けられる電気接続治具９の開口部の寸法より大きくしても良いが、開口部の寸法と同じかやや小さめにし、またその奥行きは電気接続治具９を端子箱８に嵌装したときに１〜３ｍｍ程度端子箱８内に入り込んで、開口部を塞ぐように長めにしておくと良い。電気接続治具９を開口部に嵌装させたときに、その絶縁体部９ａの少なくとも一部を端子箱８内に入り込ませることにより、雨やホコリ、虫などが端子箱８に入り込むことを防ぐ効果をより高めることができるからである。
【００４８】
さらに、本発明にかかる電気接続治具のその他の実施形態について図５に示す。
【００４９】
図１（ｃ）に示した電気接続治具９は、端子箱８の開口部８ａ、８ｂに嵌入する部分を全て導電体部９ｂにより構成した例を示したが、図５に示す電気接続治具２７、２８、２９では、開口部８ａ、８ｂに嵌入する部分を、導電体部と絶縁体部とを組み合わせて構成している。例えば、図５（ａ）に示した電気接続治具２７は、絶縁体部２７ａに棒状絶縁体部２７ｂが埋め込まれ、さらにこの棒状絶縁体部２７ｂに棒状導電体部２７ｃが接続された形状となっている。この棒状絶縁体部２７ｂは、ポリプロピレンなどの樹脂や木材、絶縁性セラミックスなどの絶縁体で作製され、良導体の金属などで作製された棒状導電体部２７ｃに、凹凸構造を持った嵌め込みやネジ止めなどで接続される。あるいは、開口部に嵌装する部分を全てポリプロピレンなどの樹脂や木材、絶縁性セラミックスなどの絶縁体によって構成した後、表面全面に金属をメッキや蒸着などで成膜し、その後不要部分の金属をエッチングなどで除去したり、所定の部分に良導体の金属を含んだ導電性ペーストをスクリーンプリントやディッピングなどで塗布したりする方法などによって、棒状絶縁体部２７ｂと棒状導電体部２７ｃとからなる電気絶縁治具２７の嵌入部を作製することができる。
【００５０】
その他、図５（ｂ）に示す電気絶縁治具２８のように、絶縁体部２８ａに加えて、端子箱８の開口部８ａ、８ｂに嵌入される部分を、複数の棒状絶縁体部２８ｂと複数の棒状導電体部２８ｃとが組み合わされた構成とすることもできる。また、図５（ｃ）に示す電気絶縁治具２９のように、絶縁体部２９ａと、端子箱８の開口部８ａ、８ｂに嵌入される部分を棒状絶縁体部２９ｂとの組合せとし、この棒状絶縁体部２９ｂの主面の一部分に、上述の方法によって膜状導電体部２９ｅを形成しても良い。
【００５１】
これらの電気接続治具２７、２８、２９は、端子箱８内のターミナルの配置や目的とする太陽電池素子群の直並列の接続状態により、最適なものを選んで組み合わせて用いればよい。出力配線の配置に対応させて、接続に必要な部分だけ導電体しておけば、後述する、より複雑な出力配線の配置にも対応できる電気接続治具を構成することができる。
【００５２】
また、端子箱８は、図１や図３、図４などに示すように、略直方体形状とし、電気接続治具９を嵌入する並列接続用開口部８ａ、直列接続用開口部８ｂについては、この略直方体形状の端子箱８の隣接する面、すなわち互いに直交する面にそれぞれ設けられていることが望ましい。これにより、端子箱８の内部において、太陽電池素子群からの出力配線を単純に平行に並べて配置するだけで、互いに直交する方向から嵌入された電気接続治具９によって、出力配線同士を直列、あるいは並列に接続することが可能となり、接続のミスを少なくすることができる。さらに、このとき端子箱８の筐体には、その面に設けられている開口部の種類に応じて、直列ないし並列などの表示をすることが望ましい。これによって出力配線同士の接続ミスを防止する効果をさらに高めることができる。なお、端子箱８の不使用の開口部には、蓋などを設け、雨などが端子箱８内に入り込むのを防止することが望ましい。
【００５３】
また、ターミナル１９やその上に設ける嵌込部２２を弾性に優れた材質の部材、例えばりん青銅などで作製するとともに、電気接続治具９の導電体部９ｂの外径とほぼ同一か、やや小さめに作製しておけば、電気接続治具９の導電体部９ｂをこの嵌込部２２に嵌入させたときに、出力配線に対して、電気接続治具９を強く付勢することができるので、この電気的接続をより確実にすることができ、好ましい。あるいは、端子箱８や、電気接続治具９に、バネやゴムなどの弾性体を取り付けて、出力配線に対して付勢するようにしても、同様の効果を得ることができる。
【００５４】
上述のように、端子箱８に設けられた並列接続用開口部８ａ、直列接続用開口部８ｂに対して、電気接続治具９の嵌装状態を変更するだけで、簡単かつ確実に、太陽電池モジュール１０内部の太陽電池素子群の間の直列接続と並列接続が変更でき、太陽電池モジュール１０の出力電圧、出力電流が変更可能となる。従来のように、取り付けた太陽電池モジュール１０を外したり、端子箱８の蓋の固定用ネジなどををゆるめて開けたりする必要がなく、さらに切替スイッチなどを必要とせず簡便に、確実に行うことができる。
【００５５】
次に、本発明にかかる太陽電池モジュールの別の例として、四つの太陽電池素子群を電気的に接続する場合を説明する。
【００５６】
図６、図７、図８は本発明にかかる別の太陽電池モジュールの内部の接続を示す配線図であり、複数の太陽電池素子が直列接続された太陽電池素子群が四つある場合に、これらを直列または並列に電気的接続した状態を示す。
【００５７】
図６、図７、図８に示す太陽電池モジュールは、すべて太陽電池素子３０が直列に接続された四つの太陽電池素子群Ｃ・Ｄ・Ｅ・Ｆが直列または並列に電気的接続されて構成されている。なお各太陽電池素子群は、太陽電池素子３０の直列接続されている枚数の半分のところから中間出力配線が引き出され、各太陽電池素子群の両端の出力配線との間にバイパスダイオード３１が設けられているが、これらの説明については、前述の二つの太陽電池素子群同士を接続する実施形態において、既に詳細に説明したので省略する。
【００５８】
太陽電池素子群Ｃからのマイナス側出力はターミナル３５に接続され、プラス側出力はターミナル３８に接続されている。太陽電池素子群Ｄからのマイナス側出力はターミナル３６に接続され、プラス側出力はターミナル４１に接続されている。太陽電池素子群Ｅからのマイナス側出力はターミナル３４に接続され、プラス側出力はターミナル３９に接続されている。太陽電池素子群Ｆからのマイナス側出力はターミナル３７に接続され、プラス側出力はターミナル４０に接続されている。
【００５９】
そして、太陽電池モジュールのプラス側出力端子４３はターミナル４０に接続され、マイナス側出力端子４２はターミナル３５に接続されている。
【００６０】
図６は、四つの太陽電池素子群Ｃ〜Ｆが本発明の構造にかかる電気接続治具の導電体部３２および３３により並列接続された状態を示す。まず、電気接続治具の導電体部３２によって、各太陽電池素子群のマイナス側、すなわち太陽電池素子群Ｃのマイナス側出力のターミナル３５・太陽電池素子群Ｄのマイナス側出力のターミナル３６・太陽電池素子群Ｅのマイナス側出力のターミナル３４・太陽電池素子群Ｆのマイナス側出力のターミナル３７が接続されている。そして、電気接続治具の導電体部３３によって、各太陽電池素子群のプラス側、すなわち太陽電池素子群Ｃのプラス側出力のターミナル３８・太陽電池素子群Ｄのプラス側出力のターミナル４１・太陽電池素子群Ｅのプラス側出力のターミナル３９・太陽電池素子群Ｆのプラス側出力のターミナル４０が接続されている。
【００６１】
このように、四つの太陽電池素子群のマイナス側ターミナル同士がすべて電気接続治具の導電体部３２により接続され、プラス側ターミナル同士もすべて電気接続治具の導電体部３３により接続された状態となるため、太陽電池モジュールのプラス側出力端子４３と、マイナス側出力端子４２との間で、四つの太陽電池素子群は並列接続された状態となる。
【００６２】
図７は、四つの太陽電池素子群Ｃ〜Ｆが本発明の構造にかかる電気接続治具の導電体部４５、４６、４７、４８により、四つのうち二つずつを直列接続した二組が相互に並列接続された状態を示す。まず、電気接続治具の導電体部４６により、太陽電池素子群Ｃのマイナス側出力のターミナル３５と、太陽電池素子群Ｄのマイナス側出力のターミナル３６とが接続され、電気接続治具の導電体部４８により、太陽電池素子群Ｅのプラス側出力のターミナル３９と、太陽電池素子群Ｆのプラス側出力のターミナル４０とが接続されている。すなわち、太陽電池素子群ＣとＤとが並列接続され、太陽電池素子群ＥとＦとが並列接続された状態となっている。
【００６３】
ここで、さらに電気接続治具の導電体部４５により、太陽電池素子群Ｃのプラス側出力のターミナル３８と、太陽電池素子群Ｅのマイナス側出力のターミナル３４とが接続され、電気接続治具の導電体部４７により、太陽電池素子群Ｄのプラス側出力のターミナル４１と、太陽電池素子群Ｆのマイナス側出力のターミナル３７とが接続されている。したがって、並列接続された太陽電池素子群Ｃ・太陽電池素子群Ｄと、並列接続された太陽電池素子群Ｅ・太陽電池素子群Ｆとが、太陽電池モジュールのプラス側出力端子４３と、マイナス側出力端子４２との間で、相互に直列接続された状態となる。
【００６４】
図８は、四つの太陽電池素子群Ｃ〜Ｆが本発明の構造にかかる電気接続治具の導電体部４９、５０、５１により直列接続された状態を示す。電気接続治具の導電体部４９により、太陽電池素子群Ｃのプラス側出力のターミナル３８と太陽電池素子群Ｅのマイナス側出力のターミナル３４とが接続され、電気接続治具の導電体部５０により、太陽電池素子群Ｅのプラス側出力のターミナル３９と太陽電池素子群Ｄのマイナス側出力のターミナル３６とが接続されている。そして、電気接続治具の導電体部５１により、太陽電池素子群Ｄのプラス側出力のターミナル４１と太陽電池素子群Ｆのマイナス側出力のターミナル３７とが接続されている。
【００６５】
このように四つの太陽電池素子群が、電気接続治具の導電体部４９、５０、５１により直列接続された状態となるため、太陽電池モジュールのプラス側出力端子４３と、マイナス側出力端子４２との間で、これらの太陽電池素子群が直列接続されることとなる。
【００６６】
図９、図１０、図１１に、ぞれぞれ上述の図６、図７、図８に示した本発明にかかる四つの太陽電池素子群の接続を行った端子箱の内部構成例を示す。
【００６７】
図９、図１０、図１１においては、その符号は図６、図７、図８と共通であり、さらに６０、６１、６４、６５、６６、６７、７２、７３、７４は電気接続治具、６２、６３、６８、６９、７０、７１、７５、７６、７７は電気接続治具の絶縁体部を示す。
【００６８】
まず図６を具体化した図９について説明する。四つの太陽電池素子群Ｃ〜Ｆからのマイナス側出力が接続されたターミナル３４、３５、３６、３７は、端子箱の外部から嵌装された電気接続治具６１の導電体部３２により全て電気的に接続されている。同様にプラス側出力が接続されたターミナル３８、３９、４０、４１も端子箱の外部から嵌装された電気接続治具６０の導電体部３３により全て電気的に接続されている。このようにして四つの太陽電池素子群Ｃ〜Ｆが図６に示された配線図のように全て並列に接続される。
【００６９】
なお各々のターミナル上には電気接続治具６０、６１を固定するための嵌込部５３が設けられている。また電気接続治具６０、６１には感電や漏電などを防止するために絶縁体部６２、６３が設けられている。これらの各部分については、前述の二つの太陽電池素子群同士を接続する実施形態において、説明したものと全く同様であるので詳細な説明は省略する。
【００７０】
次に図７を具体化した図１０について説明する。端子箱の外部から嵌装された電気接続治具６４の導電体部４５により、太陽電池素子群Ｅのマイナス側出力が接続されたターミナル３４と太陽電池素子群Ｃのプラス側出力が接続されたターミナル３８とが電気的に接続されている。同様に端子箱の外部から嵌装された電気接続治具６６の導電体部４８により、太陽電池素子群Ｅのプラス側出力が接続されたターミナル３９と太陽電池素子群Ｆのプラス側出力が接続されたターミナル４０とが電気的に接続されている。
【００７１】
ここで、本実施例においては、ターミナル３９とターミナル４０を接続するときには、電気接続治具６６の一部分が必然的にターミナル４１の上をも通ることになる。しかしターミナル３９、４０とターミナル４１は電気的に接続させてはならないので、電気接続治具６６のターミナル４１に接する部分は絶縁体部７０とし、その先のターミナル３９とターミナル４０と接する部分は導電体部４８とすることにより、選択的にターミナル３９とターミナル４０を電気的に接続することが可能となる。このような場合は、例えば、図５（ａ）に示した電気接続治具を使用すればよい。
【００７２】
同様に太陽電池素子群Ｃのマイナス側出力が接続されたターミナル３５と太陽電池素子群Ｄのマイナス側出力が接続されたターミナル３６とが、端子箱の外部から嵌装された電気接続治具６７の導電体部４６により電気的に接続されている。さらに、太陽電池素子群Ｆのマイナス側出力が接続されたターミナル３７と太陽電池素子群Ｄのプラス側出力が接続されたターミナル４１とが、同様に端子箱の外部から嵌装された電気接続治具６５の導電体部４７により電気的に接続されている。
【００７３】
ここで、電気接続治具６５と、電気接続治具６６および６７とが交差することとなるが、例えば、端子箱に設ける電気接続治具６５用の開口部を、電気接続治具６５を嵌装したときに電気接続治具６６および６７と干渉しないように、それぞれの治具の厚さを考慮して、位置をずらして設けておけば電気接続治具同士の交差が可能となる。この場合、ターミナル３７、４１に設けられる電気接続治具６５の嵌込部５４および５５についても、同様に電気接続治具６６、６７と干渉しないように開口部と連動させて位置をずらして設けることが必要である。
【００７４】
このようにして四つの太陽電池素子群Ｃ〜Ｆが、図７に示された配線図のように、本発明の構造にかかる電気接続治具の導電体部４５、４６、４７、４８により、四つのうち二つずつを直列接続した二組が相互に並列接続される。
【００７５】
次に図８を具体化した図１１について説明する。太陽電池素子群Ｅのマイナス側出力が接続されたターミナル３４と太陽電池素子群Ｃのプラス側出力が接続されたターミナル３８とが、端子箱の外部から嵌装された電気接続治具７２の導電体部４９により電気的に接続されている。また太陽電池素子群Ｄのマイナス側出力が接続されたターミナル３６と太陽電池素子群Ｅのプラス側出力が接続されたターミナル３９とが、端子箱の外部から嵌装された電気接続治具７４の導電体部５０により電気的に接続されている。さらに太陽電池素子群Ｆのマイナス側出力が接続されたターミナル３７と太陽電池素子群Ｄのプラス側出力が接続されたターミナル４１とが、同様に端子箱の外部から嵌装された電気接続治具７３の導電体部５１により電気的に接続されている。
【００７６】
ここで、電気接続治具７３と電気接続治具７４は交差することとなるが、図１０において説明したようにすれば電気接続治具同士の交差が可能となる。
【００７７】
このようにして、四つの太陽電池素子群Ｃ〜Ｆが、図８に示された配線図のように、本発明の構造にかかる電気接続治具の導電体部４９、５０、５１により互いに直列接続される。
【００７８】
以上のように、四つの太陽電池素子群においても本発明の構造にかかる電気接続治具によりその直並列の接続状態を自在に変更することが可能となる。
【００７９】
ここで、本発明に用いられる太陽電池モジュールの構成について、図１（ａ）を参照しながら、具体的に述べる。
【００８０】
透光性部材１としては、ガラスやポリカーボネート樹脂などが用いられる。ガラスとしては、白板ガラス、強化ガラス、倍強化ガラス、熱線反射ガラスなどが用いられるが、一般的には厚さ３ｍｍ〜５ｍｍ程度の白板強化ガラスが多く使用される。ポリカーボネート樹脂の場合、厚みが５ｍｍ程度のものが多く使用される。
【００８１】
受光面側充填材２および裏面側充填材４としては、透光性、耐熱性、電気絶縁性を有する素材が好適に用いられ、酢酸ビニル含有量２０〜３０％のエチレンビニルアセテート共重合体（ＥＶＡ）のほか、ポリビニルブチラール（ＰＶＢ）などを主成分とする、厚さ０．４〜１ｍｍ程度のシート状形態のものが用いられる。これらは減圧下でのラミネート工程において、熱架橋融着して他の部材と一体化する。
【００８２】
太陽電池素子３は、厚み０．３ｍｍ程度の単結晶シリコンや多結晶シリコン基板などからなる。太陽電池素子３の内部にはＰＮ接合が形成されるとともに、その受光面と裏面には電極が設けられ、さらに受光面には反射防止膜を設けて構成される。大きさは、例えば多結晶シリコン太陽電池でおよそ１５０ｍｍ角程度のものが多い。
【００８３】
接続タブ６は、例えば、直列接続する場合には隣接する太陽電池素子３同士の受光面側の電極と裏面側の電極とを交互に電気的に接続する。通常、厚さ０．１ｍｍ〜０．３ｍｍ程度、幅２ｍｍ程度の銅箔の全面をハンダコートしたものを、所定の長さに切断し、太陽電池素子３の電極にハンダ付けして用いる。
【００８４】
背面部材５は水分を透過しないようにアルミ箔を挟持した耐候性を有するフッ素系樹脂シートやアルミナまたはシリカを蒸着したポリエチレンテレフタレ−ト（ＰＥＴ）シートなどが用いられる。
【００８５】
出力配線７は、太陽電池素子３からの電気出力を端子箱８内部のターミナルに伝えるもので、通常厚さ０．１ｍｍ〜０．３ｍｍ程度、幅６ｍｍの銅箔にその全面をハンダコートしたものを、所定の長さに切断し、太陽電池素子３の電極にハンダ付けされている。
【００８６】
本発明の太陽電池モジュール１０のパネル部は、上述のような透光性部材１、受光面側充填材２、接続タブ６や出力配線７が接続された太陽電池素子３、裏面側充填材４、背面部材５の積層体を接着一体化することによって作製する。すなわち、各部材の積層体をラミネータと呼ばれる減圧状態で加熱しながら加圧する装置にセットした後、太陽電池モジュール１０の内部の空気を除去するために５０〜１５０Ｐａ程度に減圧し、１００〜２００℃の温度で１５分〜１時間加熱しながら加圧する。これによって、受光面側充填材２、裏面側充填材４が軟化し架橋融着するため、各部材を接着し一体化し、太陽電池モジュール１０のパネル部を作製することができる。
【００８７】
さらに、上述の方法によって作製された太陽電池モジュール１０のパネル部の裏面に端子箱８を接着剤により取り付ける。端子箱８は、太陽電池素子３からの出力配線７と外部回路に接続するためのケーブル１１の接続を行うものであり、変性ＰＰＥ樹脂などで紫外線などに対する耐光性を考慮して通常黒色に造られる。また端子箱８の概略の大きさは、出力約１６０Ｗ程度の一般的な太陽電池モジュールでは１００×６０×２０ｍｍ程度のものが多い。なお、本発明にかかる端子箱８の構造については、既に詳細に述べたので省略する。
【００８８】
なお、通常、太陽電池パネルの各辺部に対してモジュール枠（不図示）が設けられることが多い。モジュール枠は、アルミニウムの押し出し成形で造られることが多く、その表面にはアルマイト処理などが施される。そしてこのモジュール枠を太陽電池パネルの外周各辺に嵌め込み、各コーナー部をビスなどにより固定する。このようなモジュール枠を設けることによって、機械的強度や耐候性能を付与し、さらに、太陽電池モジュール１０を設置する場合などに取り扱いやすくすることができる。
【００８９】
なお、本発明の実施形態は上述の例にのみ限定されるものではなく、本発明の要旨を逸脱しない範囲内において種々変更を加え得ることはもちろんである。
【００９０】
例えば、端子箱８として、略直方体形状によって説明したが、これに限るものではなく、端子箱内のターミナルの配置や電気接続治具を差し込むための開口部の配置等を考慮して、五角形や六角形等の多角形やさらに円形としても良い。さらに開口部は、直列接続用開口部、並列接続用開口部を備えた２つ以上有する例で説明したが、いずれか一方を備えているだけでも良く、本発明の請求項１にかかる発明の作用効果を奏することができる。
【００９１】
また、太陽電池素子が直列に接続された太陽電池素子群を用いて説明したが、これに限るものではなく、各太陽電池素子群は、一部あるいは全てが並列に接続されたものが組み合わせられていてもよい。
【００９２】
さらに、電気接続治具は絶縁体部と導電体部の両方を備えた例によって説明したが、これに限るものではなく、全てが導電体によって構成されていても構わない。ただし、この場合、電気接続治具の端子箱８の外部に露出している部分から電流がリークしたりすることを防止するため、電気接続治具を絶縁体のカバーで覆うことが望ましい。
【００９３】
そして、電気接続治具としては、表面に露出した導電体部により出力配線同士を電気的に接続する例によって説明したが、これに限るものではなく、導電体部はその一部が電気接続治具の内部を通過するように設けられていても構わない。
【００９４】
さらに、電気接続治具を嵌入する方向に対して、この電気接続治具の側面部に設けた導電体部を出力配線同士に接触させて電気的に接続する例によって説明したが、これに限るものではなく、電気接続治具の先端部に設けた導電体部によって、出力配線同士を電気的に接続しても構わない。
【００９５】
また、電気接続治具を端子箱の開口部に対して嵌入する方向に略垂直な断面形状を比べた場合、絶縁体部が導電体部よりも大きくなっている例によって説明したが、これに限るものではなく、絶縁体部が導電体部と同一形状か、あるいは絶縁体部が導電体部よりも小さくても構わない。
【００９６】
そして、電気接続治具とターミナル上に設ける電気接続治具の嵌込部は差し込みによる例により説明したが、これに限るものではなく、ターミナル上にナットなどを溶接で固定し電気接続治具を円柱状にしてネジを切り、ネジ止めするような方式でも可能である。
【００９７】
さらに、太陽電池素子は単結晶や多結晶シリコンなどの結晶系太陽電池に限定されるものではなく、薄膜系太陽電池素子などを用いた太陽電池モジュールでも適用される。
【００９８】
また、請求項１にかかる発明では、太陽電池素子群とは、複数個の太陽電池素子を電気的に接続したものとして定義したが、本願の発明思想は、これに限るものではなく、太陽電池素子群は一つ以上の太陽電池素子を備えていれば、本願の発明の作用効果を奏することができる。したがって、一つ以上の太陽電池素子を電気的に接続した太陽電池素子群を複数個備え、これらの太陽電池素子群の出力配線の各端部を配設した端子箱を具備した太陽電池モジュールであって、前記端子箱の筐体に一つ以上の開口部を設け、この開口部に電気接続治具を嵌装することによって、前記出力配線の各端部を直列または並列に電気的接続してなる太陽電池モジュール、についても本願の発明思想に相当するものであることは言うまでもない。複数個の太陽電池素子により構成された太陽電池素子群の代わりに一枚の太陽電池素子を用い、これを他の太陽電池素子群や一枚の太陽電池素子と組み合わせて、本発明の構造によって、直列ないし並列に接続したものであっても、本願発明思想の作用効果を奏するのである。
【００９９】
【発明の効果】
以上、詳細に説明したように、本発明の請求項１の太陽電池モジュールによれば、外部から電気接続治具を嵌装するという極めて簡単な方法で太陽電池素子の出力配線を直列または並列に電気的接続して太陽電池モジュールの出力をＯＮ、ＯＦＦすることが可能となる。また、外部からの衝撃によって設定が変更されることもなく、信頼性の高い接続となる。また、電気接続治具を嵌装しない状態で、太陽電池モジュールを所定の架台に設置し、負荷となる電気機器などと配線を接続すれば、配線後であっても、配線チェック・確認をすることができ、誤った配線があった場合でも負荷となる電気機器などを破損させることがない。
【０１００】
また、本発明の請求項２の太陽電池モジュールによれば、嵌装した電気接続治具自身を用いて、太陽電池モジュール同士の出力配線を直並列に接続することができるので、極めて簡単かつ低コストな構成で、確実な出力のＯＮ、ＯＦＦの制御が可能になる。
【０１０１】
さらに、本発明の請求項３の太陽電池モジュールによれば、太陽電池素子群の直並列の接続変更に際して、その都度端子箱の蓋を開けたり、太陽電池モジュールを設置用の架台などから取り外したりする必要がなく、極めて簡便な手順で直並列を変更し、太陽電池モジュールの出力電流や出力電圧を変更することが可能となる。そして、直並列の変更が可能な太陽電池モジュールでも端子箱が大型化することがなく、低コストな構成となる。
【０１０２】
そして、本発明の請求項４の太陽電池モジュールによれば、端子箱の内部の出力配線の配置を簡単に構成できるとともに、直並列の接続切替に際して誤った開口部から電気接続治具を嵌装することがなくなる。
【０１０３】
また、本発明の請求項５の太陽電池モジュールによれば、導電体部と絶縁体部の入り組んだ電気接続治具も簡単かつ低コストで作製することができる。
【０１０４】
さらに、本発明の請求項６の太陽電池モジュールによれば、電気接続治具の嵌装がより確実となり、出力配線を高い信頼性で直並列に接続することが可能となる。
【図面の簡単な説明】
【図１】本発明にかかる太陽電池モジュールを説明する図であり、（ａ）は、太陽電池モジュールの構造図、（ｂ）は、端子箱近傍部位の斜視図、（ｃ）は、電気接続治具の斜視図である。
【図２】本発明にかかる太陽電池モジュールの実施形態の一例として、二つの太陽電池素子群同士の配線図であり、（ａ）は、本発明の構造により太陽電池素子群同士を直列に接続した場合、（ｂ）は、本発明の構造により太陽電池素子群同士を並列に接続した場合を示す。
【図３】図２（ａ）に示した本発明にかかる二つの太陽電池素子群同士を直列に配線した端子箱の内部構成の一例を示す図である。
【図４】図２（ｂ）に示した本発明にかかる二つの太陽電池素子群同士を並列に配線した端子箱の内部構成の一例を示す図である。
【図５】（ａ）、（ｂ）、（ｃ）は、本発明にかかる電気接続治具のその他の実施形態である。
【図６】本発明にかかる太陽電池モジュールの別の実施形態の一例であり、四つの太陽電池素子群同士の配線図である。
【図７】本発明にかかる太陽電池モジュールの別の実施形態の一例であり、四つの太陽電池素子群同士の配線図である。
【図８】本発明にかかる太陽電池モジュールの別の実施形態の一例であり、四つの太陽電池素子群同士の配線図である。
【図９】図６に示した本発明にかかる四つの太陽電池素子群同士を配線した端子箱の内部構成の一例を示す図である。
【図１０】図７に示した本発明にかかる四つの太陽電池素子群同士を配線した端子箱の内部構成の一例を示す図である。
【図１１】図８に示した本発明にかかる四つの太陽電池素子群同士を配線した端子箱の内部構成の一例を示す図である。
【符号の説明】
１：透光性部材
２：受光面側充填材
３：太陽電池素子
４：裏面側充填材
５：背面部材
６：接続タブ
７：出力配線
８：端子箱
８ａ：並列接続用開口部
８ｂ：直列接続用開口部
９：電気接続治具
９ａ：絶縁体部
９ｂ：導電体部
１０：太陽電池モジュール
１１：ケーブル
１２、１２ａ、１２ｂ、１２ｃ、１２ｄ：バイパスダイオード
１３、２０、２１：導電体部
１４：プラス側出力端子
１５：マイナス側出力端子
１６：中間出力配線
１７：出力配線
１７ａ、１７ｃ：マイナス側出力配線
１７ｂ、１７ｄ：プラス側出力配線
１９：ターミナル
２２、２２ａ、２２ｂ、２２ｃ、２２ｄ：嵌込部
２７、２８、２９：電気接続治具
２７ａ、２８ａ、２９ａ：絶縁体部
２７ｂ、２８ｂ、２９ｂ：棒状絶縁体部
２７ｃ、２８ｃ：棒状導電体部
２９ｃ：膜状導電体部
３０：太陽電池素子
３１：バイパスダイオード
３２、３３：導電体部
３４、３５、３６、３７、３８、３９、４０、４１：ターミナル
４２：マイナス側出力端子
４３：プラス側出力端子
４５、４６、４７、４８、４９、５０、５１：導電体部
５３、５４：嵌込部
６２、６３、７０：絶縁体部
６０、６１、６４、６５、６６、６７、７２、７３、７４：電気接続治具
Ａ、Ｂ、Ｃ、Ｄ、Ｅ、Ｆ：太陽電池素子群
【図１】
2005050867.tif 000003
【図２】
2005050867.tif 000004
【図３】
2005050867.tif 000005
【図４】
2005050867.tif 000006
【図５】
2005050867.tif 000007
【図６】
2005050867.tif 000008
【図７】
2005050867.tif 000009
【図８】
2005050867.tif 000010
【図９】
2005050867.tif 000011
【図１０】
2005050867.tif 000012
【図１１】
2005050867.tif 000013